(57)【要約】【課題】ユーザが、所望のＩＰ電話機を意識することなく利用することができるＩＰ電話システムを低コストで提供する。【解決手段】管理領域Ｒに配置されたＩＰ電話機２の各々に接続された管理装置１において、第１記憶手段は、情報記憶媒体に記憶された所定の識別情報とＩＰ電話機２の端末識別情報とを対応づけて記憶し、読取手段は、ユーザの入場時に情報記憶媒体から所定の識別情報を読み取り、割当手段は、読み取られた所定の識別情報に対応する端末識別情報を付与されたＩＰ電話機に対して、所定の識別情報に含まれる電話番号を割り当てる。また、ＩＰ電話機２において、送信手段は、第２記憶手段により記憶された電話番号に基づいて、ＳＩＰサーバに登録要求を送信する。さらに、ＳＩＰサーバ３において、登録手段は、登録要求に基づいて、ＩＰ電話機２に割り当てられた電話番号と位置情報とを対応づけて記憶する。【選択図】図１
2009290499.tif 000002
【特許請求の範囲】
【請求項１】
ＳＩＰ（Session Initiation Protocol）サーバと、当該ＳＩＰサーバに接続される複数のＩＰ電話機と、を備えるＩＰ電話システムにおいて、
所定の管理領域に配置された前記ＩＰ電話機の各々に接続され、当該所定の管理領域における入退場管理を行う管理装置と、
電話番号を含む所定の識別情報が記憶され、ユーザが携帯可能な情報記憶媒体と、
を備え、
前記管理装置は、
前記情報記憶媒体に記憶された前記所定の識別情報と、前記ＩＰ電話機の端末識別情報とを対応づけて記憶する第１記憶手段と、
入場時に、ユーザにより提示される前記情報記憶媒体から前記所定の識別情報を読み取る読取手段と、
前記読取手段により読み取られた前記所定の識別情報に対応するＩＰ電話機の端末識別情報を、前記第１記憶手段に基づいて特定する特定手段と、
前記特定手段により特定された端末識別情報を付与されたＩＰ電話機に対して、前記読取手段により読み取られた前記所定の識別情報に含まれる電話番号を割り当てる割当手段と、
を備え、    
前記ＩＰ電話機は、
前記割当手段により割り当てられた電話番号を記憶する第２記憶手段と、
前記第２記憶手段に記憶された電話番号に基づいて、前記ＳＩＰサーバに登録要求を送信する送信手段と、
を備え、
前記ＳＩＰサーバは、
前記ＩＰ電話機から前記送信手段により送信された前記登録要求に基づいて、当該ＩＰ電話機に割り当てられた前記電話番号と、当該ＩＰ電話機の位置情報とを対応づけて記憶することにより、当該ＩＰ電話機を登録する登録手段と、
前記登録手段により登録された前記ＩＰ電話機宛ての接続要求が有った場合に、当該登録手段に基づいて、当該ＩＰ電話機に対して呼制御を行う呼制御手段と、
を備えることを特徴とするＩＰ電話システム。
【請求項２】
前記管理装置は、
ユーザに、複数のＩＰ電話機から一のＩＰ電話機を選択させる選択手段と、
前記選択手段による選択に基づいて、当該ユーザにより提示された前記情報記憶媒体に記憶された前記所定の識別情報と、選択されたＩＰ電話機の端末識別情報とを対応づけて記憶することにより、前記第１記憶手段を更新する更新手段と、
を備えることを特徴とする請求項１に記載のＩＰ電話システム。
【請求項３】
ＳＩＰ（Session Initiation Protocol）サーバと、当該ＳＩＰサーバに接続される複数のＩＰ電話機と、を備えるＩＰ電話システムにおいて、
所定の管理領域に配置された前記ＩＰ電話機の各々に接続され、当該所定の管理領域における入退場管理を行う管理装置と、
電話番号を含む所定の識別情報が記憶され、ユーザが携帯可能な情報記憶媒体と、
を備え、
前記管理装置は、
前記情報記憶媒体に記憶された前記所定の識別情報と、前記ＩＰ電話機の端末識別情報とを対応づけて記憶する第１記憶手段と、
入場時及び退場時に、ユーザにより提示される前記情報記憶媒体から前記所定の識別情報を読み取る読取手段と、
前記読取手段により読み取られた前記所定の識別情報に対応するＩＰ電話機の端末識別情報を、前記第１記憶手段に基づいて特定する特定手段と、
ユーザの入場時に、前記特定手段により特定された端末識別情報を付与されたＩＰ電話機に対して、前記読取手段により読み取られた前記所定の識別情報に含まれる電話番号を割り当てる割当手段と、
ユーザの退場時に、前記特定手段により特定された端末識別情報を付与されたＩＰ電話機に対して、前記割当手段により割り当てられた電話番号を取り消す取消手段と、
ユーザに、複数のＩＰ電話機から一のＩＰ電話機を選択させる選択手段と、
前記選択手段による選択に基づいて、当該ユーザにより提示された前記情報記憶媒体に記憶された前記所定の識別情報と、選択されたＩＰ電話機の端末識別情報とを対応づけて記憶することにより、前記第１記憶手段を更新する更新手段と、
を備え、
前記ＩＰ電話機は、
前記割当手段により割り当てられた電話番号を記憶する第２記憶手段と、
前記第２記憶手段に記憶された電話番号に基づいて、前記ＳＩＰサーバに登録要求を送信する送信手段と、
前記取消手段により取り消された電話番号を、前記第２記憶手段から消去する消去手段と、
を備え、
前記ＳＩＰサーバは、
前記ＩＰ電話機から前記送信手段により送信された前記登録要求に基づいて、当該ＩＰ電話機に割り当てられた前記電話番号と、当該ＩＰ電話機の位置情報とを対応づけて記憶することにより、当該ＩＰ電話機を登録する登録手段と、
前記登録手段により登録された前記ＩＰ電話機宛ての接続要求が有った場合に、当該登録手段に基づいて、当該ＩＰ電話機に対して呼制御を行う呼制御手段と、
を備えることを特徴とするＩＰ電話システム。
【発明の詳細な説明】
【技術分野】
【０００１】
本発明は、ＩＰネットワーク上での音声通話を実現するＩＰ電話システムに関する。
【背景技術】
【０００２】
近年、音声信号をパケット化して伝送するＶｏＩＰ(Voice over Internet Protocol)技術を利用して、ＩＰ（Internet Protocol）ネットワーク上で音声通話を実現するＩＰ電話システムの普及が進んでいる。
【０００３】
従来型のＩＰ電話機には、予め電話番号等の端末情報が割り当てられており、ＩＰネットワークへの接続時に、ＳＩＰサーバに対して、端末情報を含むＲＥＧＩＳＴＥＲメッセージを送信して登録要求を行うことにより、ＳＩＰサーバに登録有効期間(Expire)とともに登録され、他の通信端末との間の通信が可能となる。
【０００４】
ところが、ＩＰ電話機自体に電話番号を割り当てることとすると、固定電話の場合、通話可能な場所が限られてしまうこととなり、利便性に欠けるという問題があった。
そこで、特許文献１には、ユーザＩＤを格納したＩＣカードを、任意のＩＰ電話装置のリーダに挿入すると、このＩＣカードに記憶されたユーザＩＤと、ＩＰ電話装置に割り当てられたＩＰアドレスとがＩＰ電話サーバに送信され、ＩＰ電話サーバにおいて、ＩＣカードのユーザ宛ての接続要求が、このＩＰ電話機に転送されるシステムが提案されている。
【特許文献１】特開２００６−１４０６９４号公報
【発明の開示】
【発明が解決しようとする課題】
【０００５】
しかしながら、上記特許文献１のシステムでは、ユーザが、転送先としたいＩＰ電話機にＩＣカードを挿入する必要があるため、手間がかかって面倒である。また、ＩＣカードをＩＰ電話機に挿入しない限り、当該ＩＰ電話機に転送されないため、ＩＣカードをＩＰ電話機に挿入し忘れてしまった場合には、転送を受けることができないという問題があった。
また、特許文献１のシステムでは、各ＩＰ電話機にＩＣカードの読取機能を設ける必要があり、設置コストがかかるという問題もあった。
【０００６】
本発明の課題は、ユーザが、所望のＩＰ電話機を意識することなく利用することができるＩＰ電話システムを低コストで提供することである。
【課題を解決するための手段】
【０００７】
上記課題を解決するため、請求項１に記載の発明は、ＳＩＰ（Session Initiation Protocol）サーバと、当該ＳＩＰサーバに接続される複数のＩＰ電話機と、を備えるＩＰ電話システムにおいて、
所定の管理領域に配置された前記ＩＰ電話機の各々に接続され、当該所定の管理領域における入退場管理を行う管理装置と、
電話番号を含む所定の識別情報が記憶され、ユーザが携帯可能な情報記憶媒体と、
を備え、
前記管理装置は、
前記情報記憶媒体に記憶された前記所定の識別情報と、前記ＩＰ電話機の端末識別情報とを対応づけて記憶する第１記憶手段と、
入場時に、ユーザにより提示される前記情報記憶媒体から前記所定の識別情報を読み取る読取手段と、
前記読取手段により読み取られた前記所定の識別情報に対応するＩＰ電話機の端末識別情報を、前記第１記憶手段に基づいて特定する特定手段と、
前記特定手段により特定された端末識別情報を付与されたＩＰ電話機に対して、前記読取手段により読み取られた前記所定の識別情報に含まれる電話番号を割り当てる割当手段と、
を備え、    
前記ＩＰ電話機は、
前記割当手段により割り当てられた電話番号を記憶する第２記憶手段と、
前記第２記憶手段に記憶された電話番号に基づいて、前記ＳＩＰサーバに登録要求を送信する送信手段と、
を備え、
前記ＳＩＰサーバは、
前記ＩＰ電話機から前記送信手段により送信された前記登録要求に基づいて、当該ＩＰ電話機に割り当てられた前記電話番号と、当該ＩＰ電話機の位置情報とを対応づけて記憶することにより、当該ＩＰ電話機を登録する登録手段と、
前記登録手段により登録された前記ＩＰ電話機宛ての接続要求が有った場合に、当該登録手段に基づいて、当該ＩＰ電話機に対して呼制御を行う呼制御手段と、
を備えることを特徴とする。
【０００８】
請求項２に記載の発明は、請求項１に記載のＩＰ電話システムにおいて、前記管理装置は、
ユーザに、複数のＩＰ電話機から一のＩＰ電話機を選択させる選択手段と、
前記選択手段による選択に基づいて、当該ユーザにより提示された前記情報記憶媒体に記憶された前記所定の識別情報と、選択されたＩＰ電話機の端末識別情報とを対応づけて記憶することにより、前記第１記憶手段を更新する更新手段と、
を備えることを特徴とする。
【０００９】
請求項３に記載の発明は、ＳＩＰ（Session Initiation Protocol）サーバと、当該ＳＩＰサーバに接続される複数のＩＰ電話機と、を備えるＩＰ電話システムにおいて、
所定の管理領域に配置された前記ＩＰ電話機の各々に接続され、当該所定の管理領域における入退場管理を行う管理装置と、
電話番号を含む所定の識別情報が記憶され、ユーザが携帯可能な情報記憶媒体と、
を備え、
前記管理装置は、
前記情報記憶媒体に記憶された前記所定の識別情報と、前記ＩＰ電話機の端末識別情報とを対応づけて記憶する第１記憶手段と、
入場時及び退場時に、ユーザにより提示される前記情報記憶媒体から前記所定の識別情報を読み取る読取手段と、
前記読取手段により読み取られた前記所定の識別情報に対応するＩＰ電話機の端末識別情報を、前記第１記憶手段に基づいて特定する特定手段と、
ユーザの入場時に、前記特定手段により特定された端末識別情報を付与されたＩＰ電話機に対して、前記読取手段により読み取られた前記所定の識別情報に含まれる電話番号を割り当てる割当手段と、
ユーザの退場時に、前記特定手段により特定された端末識別情報を付与されたＩＰ電話機に対して、前記割当手段により割り当てられた電話番号を取り消す取消手段と、
ユーザに、複数のＩＰ電話機から一のＩＰ電話機を選択させる選択手段と、
前記選択手段による選択に基づいて、当該ユーザにより提示された前記情報記憶媒体に記憶された前記所定の識別情報と、選択されたＩＰ電話機の端末識別情報とを対応づけて記憶することにより、前記第１記憶手段を更新する更新手段と、
を備え、
前記ＩＰ電話機は、
前記割当手段により割り当てられた電話番号を記憶する第２記憶手段と、
前記第２記憶手段に記憶された電話番号に基づいて、前記ＳＩＰサーバに登録要求を送信する送信手段と、
前記取消手段により取り消された電話番号を、前記第２記憶手段から消去する消去手段と、
を備え、
前記ＳＩＰサーバは、
前記ＩＰ電話機から前記送信手段により送信された前記登録要求に基づいて、当該ＩＰ電話機に割り当てられた前記電話番号と、当該ＩＰ電話機の位置情報とを対応づけて記憶することにより、当該ＩＰ電話機を登録する登録手段と、
前記登録手段により登録された前記ＩＰ電話機宛ての接続要求が有った場合に、当該登録手段に基づいて、当該ＩＰ電話機に対して呼制御を行う呼制御手段と、
を備えることを特徴とする。
【発明の効果】
【００１０】
本発明によれば、所定の管理領域に配置されたＩＰ電話機の各々に接続され、所定の管理領域における入退場管理を行う管理装置と、電話番号を含む所定の識別情報が記憶され、ユーザが携帯可能な情報記憶媒体と、が備わり、管理装置において、第１記憶手段により、情報記憶媒体に記憶された所定の識別情報と、ＩＰ電話機の端末識別情報とが対応づけて記憶され、読取手段により、入場時に、ユーザにより提示される情報記憶媒体から所定の識別情報が読み取られ、特定手段により、読取手段により読み取られた所定の識別情報に対応するＩＰ電話機の端末識別情報が、第１記憶手段に基づいて特定され、割当手段により、特定手段により特定された端末識別情報を付与されたＩＰ電話機に対して、所定の識別情報に含まれる電話番号が割り当てられる。また、ＩＰ電話機において、第２記憶手段により、割当手段により割り当てられた電話番号が記憶され、送信手段により、第２記憶手段に記憶された電話番号に基づいて、ＳＩＰサーバに登録要求が送信される。さらに、ＳＩＰサーバにおいて、登録手段により、ＩＰ電話機から送信手段により送信された登録要求に基づいて、当該ＩＰ電話機に割り当てられた電話番号と、当該ＩＰ電話機の位置情報とを対応づけて記憶することにより、当該ＩＰ電話機が登録され、呼制御手段により、登録手段により登録されたＩＰ電話機宛ての接続要求が有った場合に、登録手段に基づいて、ＩＰ電話機に対して呼制御が行われる。
すなわち、管理領域に入場する際にユーザが情報記憶媒体を提示するだけで、その管理領域の入退場管理を行う管理装置によって、情報記憶媒体に記憶されている電話番号が、対応するＩＰ電話機に割り当てられることとなるため、ユーザが直接、ＩＰ電話機に電話番号を設定する手間を省くことができ、利便性が向上する。また、各ＩＰ電話機に情報記憶媒体に記憶された情報を読み取るための機能を設ける必要が無くなるため、設置コストを抑えることができる。したがって、ユーザが、所望のＩＰ電話機を意識することなく利用することができるＩＰ電話システムを低コストで提供することができる。
【発明を実施するための最良の形態】
【００１１】
以下、本発明の実施の形態について、図面を参照しながら詳細に説明する。なお、発明の範囲は図示例に限定されない。
【００１２】
（ＩＰ電話システム）
本実施形態のＩＰ電話システムＳは、所定の管理領域（例えば、管理領域Ｒ）への入退場を管理する入退場管理システムと一体的に構成されたシステムであり、例えば、図１に示すように、ＩＰネットワーク上に配置されたＳＩＰ（Session Initiation Protocol）サーバ３と、ＳＩＰサーバ３に接続され、管理領域Ｒに配置された複数のＩＰ電話機２…と、管理領域Ｒに配置された複数のＩＰ電話機２…の各々に接続され、管理領域Ｒにおける入退場を管理する管理装置１と、等を備えて構成される。
【００１３】
管理装置１により管理される管理領域Ｒに入場するユーザは、所定の識別情報が記憶されたＩＤカード（情報記憶媒体）を所持しており、管理領域Ｒへの入退場時に、管理領域Ｒの出入口近傍に設置されたカードリーダ１１に、このＩＤカードを提示する。ここで、ＩＤカードに記憶されている所定の識別情報は、少なくとも電話番号を含む情報であり、本実施形態では、例えば、ユーザＩＤ（例えば、社員番号、ユーザ名等）及び電話番号であるものとする。
入退場管理を行う管理装置１は、入場者により提示されたＩＤカードから所定の識別情報（すなわち、ユーザＩＤ及び電話番号）を読み取ると、ＩＤカードから読み取った所定の識別情報と予め登録済みの所定の識別情報とに基づいて入退場者を認証し、入場者が認証された場合のみ入場を許可して、各ユーザの入退場履歴を蓄積する。
また、管理領域Ｒ内には、複数のＩＰ電話機２…がＬＡＮに接続されて配置されている。各ＩＰ電話機２は、ＩＰネットワーク上に配置されたＳＩＰサーバ３及びＬＡＮ上に配置された管理装置１と接続されており、管理装置１、ＳＩＰサーバ３及びネットワーク上の他の通信端末との間で通信を行う。
本実施形態のＩＰ電話システムＳでは、管理領域Ｒに配置されたこれらのＩＰ電話機２…に、特定の電話番号が固定的に付与されておらず、後述するように、ユーザが入場する際に、入退場管理を行う管理装置１によって、そのユーザにより提示されるＩＤカードに記憶された電話番号が、特定のＩＰ電話機２に対して動的に割り振られるようになっている。
【００１４】
（管理装置の構成）
管理装置１は、例えば、ＬＡＮ上に配置され、ＬＡＮに接続されたＩＰ電話機２と通信を行う。
管理装置１は、図２に示すように、読取手段としてのカードリーダ１１、電気錠駆動部１２、第１記憶手段としての入退場管理テーブル１３、割当手段及び取消手段としての通信部１４、操作入力部１５、制御部１６等を備える。
【００１５】
カードリーダ１１は、出入口を通行するユーザにより提示されるＩＤカード（情報記憶媒体）と通信し、そのＩＤカードに格納されている情報を読み取る。
ここで、ユーザの携帯するＩＤカードには、例えば、所定の識別情報としてユーザＩＤと電話番号とが記憶されている。カードリーダ１１は、ＩＤカードからユーザＩＤ及び電話番号を読み取ると、読み取った情報を制御部１６に出力する。
このカードリーダ１１は、例えば、管理領域Ｒ外と管理領域Ｒ内の両方に設置されており、入場／退場を区別できるようになっている。
【００１６】
電気錠駆動部１２は、制御部１６の指示に従って、管理領域Ｒの出入口の扉に設けられた入退場を制限するための電気錠を施錠／解除する。
【００１７】
入退場管理テーブル１３は、入退場が許可されるユーザに関する情報や、管理領域Ｒに配置されたＩＰ電話機２に関する情報を記憶している。
ユーザに関する情報には、ＩＤカードに記憶された所定の識別情報（ユーザＩＤ及び電話番号）が含まれ、ＩＰ電話機２に関する情報には、ＩＰ電話機２の端末識別情報が含まれる。入退場管理テーブル１３において、ＩＤカードに記憶された所定の識別情報とＩＰ電話機２の端末識別情報とは、互いに対応付けられて記憶されている。
【００１８】
図３は、入退場管理テーブル１３を例示する図である。
図３に示すように、入退場管理テーブル１３では、ユーザ毎に、所定の識別情報としてのユーザＩＤ、電話番号、対応するＩＰ電話機２の端末識別情報、端末ＩＰアドレス、ユーザの入退場情報（例えば、入場／退場状況、入退場日時）等の情報が互いに対応付けられて記憶されている。
例えば、ユーザＩＤ「User1003」のユーザには、電話番号「050-AAAA-7789」、端末識別情報「P-113」、端末ＩＰアドレス「192.168.10.3」、入場／退場状況「入場」、入退場日時「2008/5/2 15:40」等が対応付けられている。
ここで、端末識別情報は、各ＩＰ電話機２の本体に予め付与されている固体識別番号である。また、端末ＩＰアドレスは、各ＩＰ電話機２に割り当てられた動的／静的なＩＰアドレスであり、ＩＰ電話機２におけるＩＰアドレスの割り当て変更に連動して自動的に更新されるようになっている。
【００１９】
通信部１４は、ＮＩＣ（Network Interface Card）等を備えてＬＡＮに接続され、ネットワーク上の各通信端末との間でデータの送受信を行う。
例えば、通信部１４は、ユーザの入場時に、対応する特定のＩＰ電話機２に電話番号を割り当てるための電話番号割当要求を、そのＩＰ電話機２に対して送信する。また、ユーザの退場時に、対応する特定のＩＰ電話機２に割り当てた電話番号を取り消すための電話番号取消要求を、そのＩＰ電話機２に対して送信する。
【００２０】
操作入力部１５は、例えば、キーパッドや表示パネル等を備え、複数のＩＰ電話機２から所望のＩＰ電話機２を選択するための操作等を受け付ける。
【００２１】
制御部１６は、例えば、ＣＰＵ（Central Processing Unit）１６１、ＣＰＵ１６１のワークエリアとして用いられるＲＡＭ（Random Access Memory）１６２、データの書換え及び消去が可能なＥＥＰＲＯＭ（Electrically Erasable Programmable ROM）１６３、ＣＰＵ１６１によって実行される各種プログラムを格納するＲＯＭ（Read Only Memory）１６４等を備えて構成される。
【００２２】
ＣＰＵ１６１は、管理装置１の各部から入力される入力信号に応じて、ＲＯＭ１６４に格納されたプログラムを実行するとともに、実行にかかるプログラムに基づいて各部に出力信号を出力することにより、管理装置１の動作全般を統括制御する。
【００２３】
ＲＯＭ１６４は、プログラム格納エリアに、入退場管理プログラム１６４ａ、特定手段としての特定プログラム１６４ｂ、割当手段としての割当プログラム１６４ｃ、取消手段としての取消プログラム１６４ｄ、選択手段としての選択プログラム１６４ｅ、更新手段としての更新プログラム１６４ｆ等を格納している。
【００２４】
入退場管理プログラム１６４ａは、例えば、ＣＰＵ１６１に、入退場管理を行う機能を実現させるためのプログラムである。
具体的には、カードリーダ１１において、出入口を通行するユーザにより提示されたＩＤカードから、ユーザＩＤ及び電話番号が読み取られると、ＣＰＵ１６１は、入退場管理テーブル１３を参照して、この入退場管理テーブル１３に、ＩＤカードから読み取られた情報（ユーザＩＤ及び電話番号）と一致する情報が記憶されているか否かに基づいて、ユーザを認証する。
例えば、管理領域外のカードリーダ１１において、ユーザにより提示されたＩＤカードから、ユーザＩＤ「User1001」、電話番号「050-AAAA-1123」が読み取られた場合、図２の入退場管理テーブル１３では、ＩＤカードから読み取られたユーザＩＤ及び電話番号と一致する情報（すなわち、ユーザＩＤ「User1001」、電話番号「050-AAAA-1123」）が記憶されているため、ＣＰＵ１６１は、ユーザの入場を許可する。そして、電子錠駆動部（図示省略）を制御して出入口の扉に設けられた電子錠を開錠し、ユーザを管理領域内に入場させ、再び電子錠を施錠する。また、入退場管理テーブル１３において、このユーザの入場／退場状況を「退場」から「入場」に変更し、入退場日時（例えば、「2008/5/2 16:00」）を更新する。
【００２５】
特定プログラム１６４ｂは、例えば、ＣＰＵ１６１に、カードリーダ１１により読み取られた所定の識別情報（ユーザＩＤ及び電話番号）に対応するＩＰ電話機２の端末識別情報を、入退場管理テーブル１３に基づいて特定する機能を実現させるためのプログラムである。
上述のように、管理領域内又は管理領域外のカードリーダ１１において、ユーザにより提示されたＩＤカードから、ユーザＩＤ（例えば、「User1001」）及び電話番号（例えば、「050-AAAA-1123」）が読み取られた場合、ＣＰＵ１６１は、上述の入退場管理を行う一方で、端末管理テーブル３２を参照して、ＩＤカードから読み取られたユーザＩＤ及び電話番号に対応するＩＰ電話機２の端末識別情報（例えば、「P-111」）を特定する。
ＣＰＵ１６１は、かかる特定プログラム１６４ｂを実行することにより、特定手段として機能する。
【００２６】
割当プログラム１６４ｃは、例えば、ＣＰＵ１６１に、ユーザの入場時に、特定プログラム１６４ｂにより特定された端末識別情報を付与されたＩＰ電話機２に対して、カードリーダ１１により読み取られた所定の識別情報（ユーザＩＤ及び電話番号）に含まれる電話番号を割り当てる機能を実現させるためのプログラムである。
具体的には、ＣＰＵ１６１は、ユーザの入場時に、カードリーダ１１において、ＩＤカードから読み取られたユーザＩＤ及び電話番号に対応するＩＰ電話機２の端末識別情報（例えば、「P-111」）が特定されると、その端末識別情報が付与されたＩＰ電話機２に対して、ＩＤカードから読み取られた電話番号（例えば、「050-AAAA-1123」）を割り当てるための電話番号割当要求を送信する。電話番号割当要求は、そのＩＰ電話機２に割り当てる電話番号（例えば、「050-AAAA-1123」）を含むものであり、入退場管理テーブル１３において、特定された端末識別情報（例えば、「P-111」）と対応づけられているＩＰアドレス（例えば、「192.168.10.1」）を宛先として、そのＩＰアドレスのＩＰ電話機２に、通信部１４によりＬＡＮを介して送信される。
ＣＰＵ１６１は、かかる割当プログラム１６４ｃを実行することにより、通信部１４とともに割当手段として機能する。
【００２７】
取消プログラム１６４ｄは、例えば、ＣＰＵ１６１に、ユーザの退場時に、特定プログラム１６４ｂにより特定された端末識別情報を付与されたＩＰ電話機２に対して、割当プログラム１６４ｃにより割り当てられた電話番号を取り消す機能を実現させるためのプログラムである。
具体的には、ＣＰＵ１６１は、ユーザの退場時に、カードリーダ１１において、ＩＤカードから読み取られたユーザＩＤ及び電話番号に対応するＩＰ電話機２の端末識別情報（例えば、「P-111」）が特定されると、その端末識別情報が付与されたＩＰ電話機２に対して、割り当てられた電話番号（例えば、「050-AAAA-1123」）を取り消すための電話番号取消要求を送信する。電話番号取消要求は、入退場管理テーブル１３において、特定された端末識別情報（例えば、「P-111」）と対応づけられているＩＰアドレス（例えば、「192.168.10.1」）を宛先として、そのＩＰアドレスのＩＰ電話機２に、通信部１４によりＬＡＮを介して送信される。
ＣＰＵ１６１は、かかる取消プログラム１６４ｄを実行することにより、通信部１４とともに取消手段として機能する。
【００２８】
選択プログラム１６４ｅは、例えば、ＣＰＵ１６１に、ユーザに、複数のＩＰ電話機２から一のＩＰ電話機２を選択させる機能を実現させるためのプログラムである。
具体的には、ＣＰＵ１６１は、ＩＤカードによるユーザの認証後や入場後等の任意のタイミングで、管理領域内に配置された複数のＩＰ電話機２…の中から、使用するＩＰ電話機２をユーザに選択させる。
例えば、ユーザは、入場時におけるＩＤカードによる認証後に、操作入力部１５においてＩＰ電話機２の選択を指示する旨の操作を行い、これに対して、ＣＰＵ１６１は、図示しない表示パネルに、選択可能なＩＰ電話機２（例えば、その時点で電話番号が割り当てられていないＩＰ電話機２）に関する情報を表示させ、ユーザに一のＩＰ電話機２を選択させる。選択可能なＩＰ電話機２に関する情報は、例えば、ＩＰ電話機２の端末識別情報や、管理領域Ｒにおける配置位置情報等である。管理領域Ｒにおける配置位置情報は、例えば、ＩＰ電話機２が配置された部屋情報、位置情報、デスク情報等であり、図示されても良い。
また、選択可能なＩＰ電話機２が、予めユーザ毎に定められていても良い。
ＣＰＵ１６１は、かかる選択プログラム１６４ｅを実行することにより、選択手段として機能する。
【００２９】
更新プログラム１６４ｆは、例えば、ＣＰＵ１６１に、選択プログラム１６４ｅによる選択に基づいて、ユーザにより提示されたＩＤカードに記憶された所定の識別情報と、選択されたＩＰ電話機２の端末識別情報とを対応づけて記憶することにより、入退場管理テーブル１３を更新する機能を実現させるためのプログラムである。
具体的には、ＣＰＵ１６１は、前述の選択プログラム１６４ｅの実行において、ユーザにより一のＩＰ電話機２が選択されると、入退場管理テーブル１３において、そのユーザが認証時に提示したＩＤカードから読み取られた所定の識別情報としてのユーザＩＤ（例えば、「User1002」）及び電話番号（例えば、「050-AAAA-4456」）に対して、選択されたＩＰ電話機２の端末識別情報（例えば、「P-114」）を対応づけて記憶する更新を行う。
ＣＰＵ１６１は、かかる更新プログラム１６４ｆを実行することにより、更新手段として機能する。
【００３０】
（ＩＰ電話機の構成）
ＩＰ電話機２は、例えば、図４に示すように、送信手段としての通信部２１、音声処理部２２、音声入出力部２３、操作入力部２４、第２記憶手段としての端末情報メモリ２５、制御部２６等を備える。
【００３１】
通信部２１は、ＮＩＣ（Network Interface Card）等を備えてＬＡＮに接続され、ネットワーク上の各通信端末との間でデータの送受信を行う。
例えば、通信部２１は、ユーザの入場時に、管理装置１からＬＡＮを介して送信されてくる電話番号登録要求を受信して必要なパケットを取得し、制御部２６に供給する。
また、通信部２１は，ユーザの退場時に、管理装置１からＬＡＮを介して送信されてくる電話番号取消要求を受信して必要なパケットを取得し、制御部２６に供給する。
また、通信部２１は、音声通話処理中に、相手側からＬＡＮを介して送られてくるデータフレームを受信して音声パケットを取得し、音声処理部２２に供給する。また、音声処理部２２から供給される音声パケットに対して、所定の制御データを付して伝送可能なデータフレームに変換し、ＬＡＮを介して相手側に送信する。
また、通信部２１は、制御部２６から供給されるＲＥＧＩＳＴＥＲリクエスト（登録要求）のデータに対して、所定の制御データを付して伝送可能なデータフレームに変換し、ＬＡＮを介してＳＩＰサーバ３に送信する。
【００３２】
音声処理部２２は、通信部２１から入力される音声パケットをアナログの音声信号に変換して、音声入出力部２３に供給する。また、音声処理部２２は、音声入出力部２３から入力されるアナログの音声信号を、ＰＣＭ(Pulse Code Modulation)方式等によりデジタル化し、音声パケットに変換して、通信部２１に供給する。
【００３３】
音声入出力部２３は、マイクロホン２３ａ、スピーカ２３ｂ等を備え、マイクロホン２３ａに入力されたユーザの音声を増幅して音声処理部２２に供給し、音声処理部２２から入力されるアナログの音声信号を増幅してスピーカ２３ｂから出力する。
【００３４】
操作入力部２４は、例えば、キーパッドや表示パネル等を備え、ユーザによる各種指示や電話番号等の入力を受け付ける。
【００３５】
端末情報メモリ２５は、当該ＩＰ電話機２に割り当てられた電話番号や、ＩＰアドレス等を記憶している。
端末情報メモリ２５に記憶された当該電話番号は、当該ＩＰ電話機２を使用するユーザが管理領域Ｒに入場した場合に、管理装置１から送信される電話番号割当要求に基づいて設定される。また、当該ＩＰ電話機２を使用するユーザが管理領域Ｒから退場した場合に、管理装置１から送信される電話番号取消要求に基づいて、端末情報メモリ２５から消去されるようになっている。
端末情報メモリ２５に記憶された電話番号やＩＰアドレスは、例えば、後述するＲＥＧＩＳＴＥＲリクエスト（登録要求）の送信時に、発信元としてメッセージ内に格納されて、ＳＩＰサーバ３に送信される。ＩＰ電話機２は、このような電話番号やＩＰアドレス等の情報に基づいてＳＩＰサーバ３に対してＲＥＧＩＳＴＥＲリクエスト（登録要求）を送信し、ＳＩＰサーバ３に登録されることにより、他の通信機器と通信を行うことが可能となる。
【００３６】
制御部２６は、例えば、ＣＰＵ（Central Processing Unit）２６１、ＣＰＵ２６１のワークエリアとして用いられるＲＡＭ（Random Access Memory）２６２、データの書換え及び消去が可能なＥＥＰＲＯＭ（Electrically Erasable Programmable ROM）２６３、ＣＰＵ２６１によって実行される各種プログラムを格納するＲＯＭ（Read Only Memory）２６４等を備えて構成される。
【００３７】
ＣＰＵ２６１は、ＩＰ電話機２の各部から入力される入力信号に応じて、ＲＯＭ２６４に格納されたプログラムを実行するとともに、実行にかかるプログラムに基づいて各部に出力信号を出力することにより、ＩＰ電話機２の動作全般を統括制御する。
【００３８】
ＲＯＭ２６４は、プログラム格納エリアに、第２記憶手段としての記憶プログラム２６４ａ、送信手段としての送信プログラム２６４ｂ、消去手段としての消去プログラム２６４ｃ等を格納している。
【００３９】
記憶プログラム２６４ａは、例えば、ＣＰＵ２６１に、割当プログラム１６４ｃにより割り当てられた電話番号を記憶する機能を実現させるためのプログラムである。
具体的には、ＣＰＵ２６１は、当該ＩＰ電話機２に対応づけられたユーザ（すなわち、当該ＩＰ電話機２の端末識別情報に対応づけられた所定の識別情報が記憶された情報記憶媒体を所持するユーザ）が管理領域Ｒに入場した場合に、管理装置１における割当プログラム１６４ｃの実行に基づいて電話番号割当要求が送られてくると、この電話番号割当要求内に格納された電話番号を、自身に割り当てられた電話番号として端末情報メモリ２５に記憶する。
ＣＰＵ２６１は、かかる記憶プログラム２６４ａを実行することにより、端末情報メモリ２５とともに記憶手段として機能する。
【００４０】
送信プログラム２６４ｂは、例えば、ＣＰＵ２６１に、端末情報メモリ２５に記憶された電話番号に基づいて、ＳＩＰサーバ３に登録要求を送信する機能を実現させるためのプログラムである。
具体的には、ＣＰＵ２６１は、端末情報メモリ２５に電話番号が記憶されている場合、ＳＩＰサーバ３に当該ＩＰ電話機２を登録するためのＲＥＧＩＳＴＥＲリクエスト（登録要求）を生成し、生成したＲＥＧＩＳＴＥＲリクエスト（登録要求）を、通信部２１によりＳＩＰサーバ３に対して送信する。
ＳＩＰサーバ３により送信されるＲＥＧＩＳＴＥＲリクエスト（登録要求）は、例えば、スタートライン、ヘッダ・フィールド、空白行、ボディから構成され、ヘッダ・フィールドに、登録したいＩＰ電話機２の端末情報を指定する「Ｔｏ」、リクエストの発行者を指定する「Ｆｒｏｍ」、「Ｃａｌｌ−ＩＤ」、「ＣＳｅｑ(Command Sequence)」、「Ｃｏｎｔａｃｔ」、登録有効期間を指定する「Ｅｘｐｉｒｅｓ」等のヘッダ・フィールドを含む。
また、ＣＰＵ２６１は、端末情報メモリ２５に電話番号が記憶されている間、前回の登録時にＳＩＰサーバ３に登録された登録有効期間が切れる前に、再びＲＥＧＩＳＴＥＲリクエスト（登録要求）を送信することで、ＳＩＰサーバ３に登録された登録有効期間を更新して、登録状態を保持する。
ＣＰＵ２６１は、かかる送信プログラム２６４ｂを実行することにより、通信部２１とともに送信手段として機能する。
【００４１】
消去プログラム２６４ｃは、例えば、ＣＰＵ２６１に、取消プログラム１６４ｄにより取り消された電話番号を、端末情報メモリ２５から消去する機能を実現させるためのプログラムである。
具体的には、ＣＰＵ２６１は、当該ＩＰ電話機２に対応づけられたユーザ（すなわち、当該ＩＰ電話機２の端末識別情報に対応づけられた所定の識別情報が記憶された情報記憶媒体を所持するユーザ）が管理領域Ｒに入場した場合に、管理装置１から取消プログラム１６４ｄの実行に基づいて電話番号取消要求が送られてくると、この電話番号取消要求に基づいて、端末情報メモリ２５に記憶された電話番号を消去する。
ＣＰＵ２６１は、かかる消去プログラム２６４ｃを実行することにより、消去手段として機能する。
【００４２】
（ＳＩＰサーバの構成）
ＳＩＰサーバ３は、例えば、ＩＰネットワーク上に配置され、ＩＰ電話機２からの登録要求に応じてＩＰ電話機２の登録処理を担うレジストラサーバ、レジストラサーバにより登録される端末情報を管理するロケーションサーバ、クライアントの代理としてメッセージを中継するプロキシサーバ、宛先の問い合わせを受けるリダイレクトサーバ、としての機能を有する。すなわち、ＳＩＰサーバ３は、登録された各ＩＰ電話機２に関する端末情報を管理しており、ネットワーク上の通信端末からＩＰ電話機２に対して接続要求があった場合に、各ＩＰ電話機２の端末情報に基づいて呼制御処理を行い、端末間の通信を仲介する。
ＳＩＰサーバ３は、例えば、図５に示すように、呼制御手段としての通信部３１、登録手段としての端末管理テーブル３２、制御部３３等を備える。
【００４３】
通信部３１は、ＩＰネットワークに接続され、ネットワーク上の各通信端末との間で各種パケットの送受信を行う。
例えば、通信部３１は、ネットワークに接続されたＩＰ電話機２から伝送されるデータを受信して、ＲＥＧＩＳＴＥＲリクエスト等の各種メッセージを取得し、制御部３３に供給する。
【００４４】
端末管理テーブル３２は、ＳＩＰサーバ３に登録される各ＩＰ電話機２に割り当てられた電話番号と、ＩＰ電話機２の位置情報と、登録／非登録情報と、を対応づけて記憶している。
ＩＰ電話機２の位置情報は、例えば、ＩＰアドレスを取得するためのＵＲＩ(Uniform Resource Identifier)である。なお、位置情報としてＩＰアドレスを用いても良い。
【００４５】
図６は、端末管理テーブル３２を例示する図である。
図６に示すように、端末管理テーブル３２では、ＩＰネットワークに接続される各ＩＰ電話機２について、電話番号（例えば、050-AAAA-4456）、位置情報としてのＵＲＩ(例えば、sip:BBB@xxxxx)、登録／非登録状況（例えば、登録）、登録有効期間（例えば、7200秒）等が記憶されている。
【００４６】
制御部３３は、例えば、ＣＰＵ（Central Processing Unit）３３１、ＣＰＵ３３１のワークエリアとして用いられるＲＡＭ（Random Access Memory）３３２、データの書換え及び消去が可能なＥＥＰＲＯＭ（Electrically Erasable Programmable ROM）３３３、ＣＰＵ３３１によって実行される各種プログラムを格納するＲＯＭ（Read Only Memory）３３４等を備えて構成される。
【００４７】
ＣＰＵ３３１は、ＳＩＰサーバ３の各部から入力される入力信号に応じて、ＲＯＭ３３４に格納されたプログラムを実行するとともに、実行にかかるプログラムに基づいて各部に出力信号を出力することにより、ＳＩＰサーバ３の動作全般を統括制御する。
【００４８】
ＲＯＭ３３４は、プログラム格納エリアに、登録手段としての登録プログラム３３４ａ、呼制御手段としての呼制御プログラム３３４ｂ等を格納している。
【００４９】
登録プログラム３３４ａは、例えば、ＣＰＵ３３１に、ＩＰ電話機２から送信プログラム２６４ｂにより送信された登録要求に基づいて、ＩＰ電話機２に割り当てられた電話番号と、当該ＩＰ電話機２の位置情報とを対応づけて記憶することにより、ＩＰ電話機２を登録する機能を実現させるためのプログラムである。
具体的には、ＣＰＵ３３１は、管理領域内のＩＰ電話機２から送信されたＲＥＧＩＳＴＥＲリクエスト（登録要求）を受信すると、このＲＥＧＩＳＴＥＲリクエストに基づいて端末管理テーブル３２を更新し、ＩＰ電話機２を登録する。すなわち、例えば、ＩＰ電話機２からＲＥＧＩＳＴＥＲリクエストが送信されると、ＣＰＵ３３１は、端末管理テーブル３２において、この電話番号（例えば、「050-AAAA-1123」）と、当該ＩＰ電話機２の位置を示すＩＰアドレスを特定するためのＵＲＩ（例えば、「sip:AAA@xxxx」）とを対応づけて記憶する。さらに、端末管理テーブル３２において、登録／非登録状況を「非登録」から「登録」に変更し、ＲＥＧＩＳＴＥＲリクエスト内の登録有効期間を記憶することにより、ＲＥＧＩＳＴＥＲリクエストを送信したＩＰ電話機２の登録を行う。
また、端末管理テーブル３２において登録された登録有効期間の経過前に、再び、ＩＰ電話機２からＲＥＧＩＳＴＥＲリクエスト送信された場合、登録を更新する。一方、登録有効期間の経過前に、ＩＰ電話機２からＲＥＧＩＳＴＥＲリクエストが送信されない場合、登録を更新せずに非登録とする。
ＣＰＵ３３１は、かかる登録プログラム３３４ａを実行することにより、端末管理テーブル３２とともに登録手段として機能する。
【００５０】
呼制御プログラム３３４ｂは、例えば、ＣＰＵ３３１に、登録プログラム３３４ａにより登録されたＩＰ電話機２宛ての接続要求が有った場合に、端末管理テーブル３２に基づいて、当該ＩＰ電話機２に対して呼制御を行う機能を実現させるためのプログラムである。
具体的には、ＣＰＵ３３１は、ネットワーク上の他の通信端末である発呼元端末から、監視領域内に配置されたＩＰ電話機２を宛先とするＩＮＶＩＴＥリクエストを受信すると、ＳＩＰ（Session Initiation Protocol）等の呼制御プロトコルによる呼制御を行う。まず、ＣＰＵ３３１は、発呼元端末から送信されたＩＮＶＩＴＥリクエストから、「Ｔｏ」ヘッダ・フィールドに含まれる着呼先ＩＰ電話機２の識別情報（例えば、電話番号）を読み出す。そして、読み出した電話番号をキーとして、端末管理テーブル３２から、宛先のＩＰ電話機２の登録／非登録状況を読み出す。
ＣＰＵ３３１は、端末管理テーブル３２から読み出した着呼先のＩＰ電話機２の登録／非登録状況が「登録」である場合、端末管理テーブル３２を参照して、発呼元端末から受信したＩＮＶＩＴＥリクエストから読み出した電話番号をＩＰアドレスに変換し、このＩＰアドレスにＩＮＶＩＴＥリクエストを転送する。電話番号からＩＰアドレスへの変換では、例えば、電話番号に対応するＵＲＩからドメイン名を取得し、ドメイン名からＤＮＳ(Domain Name System)を利用してＩＰアドレスを得る方法を用いる。
【００５１】
また、ＣＰＵ３３１は、着呼先のＩＰ電話機２に対してＩＮＶＩＴＥリクエストを送信すると、発呼元端末に対して１００  Ｔｒｙｉｎｇレスポンスを返送する。また、ＩＮＶＩＴＥリクエストを受信したＩＰ電話機２は、１００  ＴｒｙｉｎｇレスポンスをＳＩＰサーバ３に返送する。
ＩＮＶＩＴＥリクエストを受信した着呼先のＩＰ電話機２では、着呼があったことをユーザに通知するための呼び出し音を鳴動させ、その旨を通知するための１８０  ＲｉｎｇｉｎｇレスポンスをＳＩＰサーバ３に送信し、これを受けて、ＳＩＰサーバ３は、１８０  ＲｉｎｇｉｎｇレスポンスをＩＰ電話機２に転送する。
呼び出し音を聞いて着呼に気付いた着呼先のＩＰ電話機２のユーザが電話機を取った場合、着呼先のＩＰ電話機２から２００  ＯＫレスポンスがＳＩＰサーバ３に送られ、ＳＩＰサーバ３から、２００  ＯＫレスポンスが発呼元端末に転送される。これに対して発呼元端末からＡＣＫレスポンスが送信されると、発呼元と着呼先との間で通話路が確立して、ＩＰネットワーク上でＲＴＰ(Real-time Transport Protocol)を利用した音声パケットのやり取りが開始されることとなる。
ＣＰＵ３３１は、かかる呼制御プログラム３３４ｂを実行することにより、通信部３１とともに呼制御手段として機能する。
【００５２】
次に、図７を参照しながら、管理装置１、ＩＰ電話機２、ＳＩＰサーバ３の間で行われる電話番号設定・登録処理の流れについて説明する。
初めに、管理装置１では、ステップＳ１において、ユーザの入場時に、管理領域外に設置されたカードリーダ１１において、ユーザにより提示されるＩＤカードから、所定の識別情報としてのユーザＩＤ及び電話番号を読み取る。次に、ステップＳ２において、入退場管理テーブル１３に基づいて、ＩＤカードから読み取られたユーザＩＤ及び電話番号に対応するＩＰ電話機２の端末識別情報を特定する。さらに、ステップＳ３において、特定された端末識別情報を付与されたＩＰ電話機２に対して、ＩＤカードから読み取られた電話番号を割り当てるための電話番号割当要求を送信する。
ＩＰ電話機２では、ステップＳ４において、管理装置１から送信された電話番号割当要求を受信すると、その電話番号割当要求内に格納された電話番号を、自身に割り当てられた電話番号として、端末情報メモリ２５に記憶する。そして、ステップＳ５において、端末情報メモリ２５に記憶した電話番号に基づいて、ＳＩＰサーバ３にＲＥＧＩＳＴＥＲリクエストを送信する。
ＳＩＰサーバ３では、ステップＳ６において、ＩＰ電話機２から送信されたＲＥＧＩＳＴＥＲリクエストに基づいて端末管理テーブル３２を更新し、そのＩＰ電話機２を登録して、本処理を終了する。
【００５３】
次に、図８を参照しながら、管理装置１とＩＰ電話機２との間で行われる電話番号取消処理の流れについて説明する。
初めに、管理装置１では、ステップＳ１１において、ユーザの退場時に、管理領域内に設置されたカードリーダ１１において、ユーザにより提示されるＩＤカードから、所定の識別情報としてのユーザＩＤ及び電話番号を読み取る。次に、ステップＳ１２において、入退場管理テーブル１３に基づいて、ＩＤカードから読み取られたユーザＩＤ及び電話番号に対応するＩＰ電話機２の端末識別情報を特定する。さらに、ステップＳ１３において、特定された端末識別情報を付与されたＩＰ電話機２に対して、ユーザの入場時に割り当てた電話番号を取り消すための電話番号取消要求を送信する。
ＩＰ電話機２では、ステップＳ１４において、管理装置１から送信された電話番号取消要求を受信すると、端末情報メモリ２５内の電話番号を消去し、本処理を終了する。
【００５４】
以上説明した本実施形態におけるＩＰ電話システムＳによれば、所定の管理領域（管理領域Ｒ）に配置されたＩＰ電話機２の各々に接続され、所定の管理領域（管理領域Ｒ）における入退場管理を行う管理装置１と、電話番号を含む所定の識別情報（ユーザＩＤ及び電話番号）が記憶され、ユーザが携帯可能な情報記憶媒体（ＩＤカード）と、が備わる。また、管理装置１において、第１記憶手段（入退場管理テーブル１３）により、情報記憶媒体（ＩＤカード）に記憶された所定の識別情報（ユーザＩＤ及び電話番号）と、ＩＰ電話機２の端末識別情報とが対応づけられて記憶され、読取手段（カードリーダ１１）により、入場時及び退場時に、ユーザにより提示される情報記憶媒体（ＩＤカード）から所定の識別情報（ユーザＩＤ及び電話番号）が読み取られ、特定手段（特定プログラム１６４ｂ）により、読取手段（カードリーダ１１）により読み取られた所定の識別情報（ユーザＩＤ及び電話番号）に対応するＩＰ電話機２の端末識別情報が、第１記憶手段（入退場管理テーブル１３）に基づいて特定され、割当手段（割当プログラム１６４ｃ、通信部１４）により、ユーザの入場時に、特定手段（特定プログラム１６４ｂ）により特定された端末識別情報を付与されたＩＰ電話機２に対して、読取手段（カードリーダ１１）により読み取られた所定の識別情報（ユーザＩＤ及び電話番号）に含まれる電話番号が割り当てられ、取消手段（取消プログラム１６４ｄ、通信部１４）により、ユーザの退場時に、特定手段（特定プログラム１６４ｂ）により特定された端末識別情報を付与されたＩＰ電話機２に対して、割当手段（割当プログラム１６４ｃ）により割り当てられた電話番号が取り消される。また、選択手段（選択プログラム１６４ｅ）により、ユーザに、複数のＩＰ電話機２から一のＩＰ電話機２が選択され、更新手段（更新プログラム１６４ｆ）により、選択手段（選択プログラム１６４ｅ）による選択に基づいて、ユーザにより提示された情報記憶媒体（ＩＤカード）に記憶された所定の識別情報（ユーザＩＤ及び電話番号）と、選択されたＩＰ電話機２の端末識別情報とが対応づけて記憶することにより、第１記憶手段（入退場管理テーブル１３）が更新される。また、ＩＰ電話機２において、第２記憶手段（端末情報メモリ２５）により、割当手段（割当プログラム１６４ｃ、通信部１４）により割り当てられた電話番号が記憶され、送信手段（送信プログラム２６４ｂ、通信部２１）により、第２記憶手段（端末情報メモリ２５）に記憶された電話番号に基づいて、ＳＩＰサーバ３に登録要求が送信され、消去手段（消去プログラム２６４ｃ）により、取消手段（取消プログラム１６４ｄ）により取り消された電話番号が、第２記憶手段（端末情報メモリ２５）から消去される。さらに、ＳＩＰサーバ３において、登録手段（端末管理テーブル３２、登録プログラム３３４ａ）により、ＩＰ電話機２から送信手段（送信プログラム２６４ｂ、通信部２１）により送信された登録要求に基づいて、ＩＰ電話機２に割り当てられた電話番号と、ＩＰ電話機２の位置情報とを対応づけて記憶することにより、ＩＰ電話機２が登録され、呼制御手段（呼制御プログラム３３４ｂ、通信部３１）により、登録手段（端末管理テーブル３２、登録プログラム３３４ａ）により登録されたＩＰ電話機２宛ての接続要求が有った場合に、登録手段（端末管理テーブル３２、登録プログラム３３４ａ）に基づいて、ＩＰ電話機２に対して呼制御が行われる。
すなわち、管理領域Ｒに入場する際にユーザがＩＤカードを提示するだけで、その管理領域Ｒの入退場管理を行う管理装置１によって、ＩＤカードに記憶されている電話番号が、対応するＩＰ電話機２に自動的に割り当てられることとなるため、ユーザが直接、ＩＰ電話機２に電話番号を設定する手間を省くことができ、利便性が向上する。また、各ＩＰ電話機２にＩＤカードに記憶された情報を読み取るための機能を設ける必要が無くなるため、設置コストを抑えることができる。したがって、ユーザが、所望のＩＰ電話機を意識することなく利用することができるＩＰ電話システムＳを低コストで提供することができる。
【００５５】
また、管理装置１において、選択手段（選択プログラム１６４ｅ）により、ユーザに、複数のＩＰ電話機２から一のＩＰ電話機２が選択され、更新手段（更新プログラム１６４ｆ）により、選択手段（選択プログラム１６４ｅ）による選択に基づいて、ユーザにより提示された情報記憶媒体（ＩＤカード）に記憶された所定の識別情報（ユーザＩＤ及び電話番号）と、選択されたＩＰ電話機２の端末識別情報とが対応づけて記憶することにより、第１記憶手段（入退場管理テーブル１３）が更新される。したがって、電話番号を割り当てるＩＰ電話機２を、ユーザ自身が選択することができ、ユーザにとってより使い勝手の良いＩＰ電話システムとなる。
【００５６】
さらに、管理装置１において、取消手段（取消プログラム１６４ｄ、通信部１４）により、ユーザの退場時に、特定手段（特定プログラム１６４ｂ）により特定された端末識別情報を付与されたＩＰ電話機２に対して、割当手段（割当プログラム１６４ｃ）により割り当てられた電話番号が取り消され、ＩＰ電話機２において、消去手段（消去プログラム２６４ｃ）により、取消手段（取消プログラム１６４ｄ）により取り消された電話番号が、第２記憶手段（端末情報メモリ２５）から消去される。したがって、ユーザが管理領域Ｒから退場すると、対応するＩＰ電話機２から、入場時に割り当てた電話番号が自動的に消去されることとなり、ユーザが直接、設定した電話番号をＩＰ電話機から消去する手間を省くことができる。
【００５７】
なお、本発明の範囲は、上記実施形態に限られることなく、本発明の趣旨を逸脱しない範囲において種々の改良並びに設計の変更を行っても良い。
例えば、上記実施形態では、情報記憶媒体に記憶された所定の識別情報として、ユーザＩＤ及び電話番号を例示したが、少なくとも電話番号を含む情報であれば、如何なる情報が情報記憶媒体に記憶されていても良い。
また、一つのＩＰ電話機に対して、複数の電話番号を割り当てられるように構成しても良い。
【図面の簡単な説明】
【００５８】
【図１】本実施形態におけるＩＰ電話システムの全体構成を示す図である。
【図２】管理装置の要部構成を示すブロック図である。
【図３】入退場管理テーブルを例示する図である。
【図４】ＩＰ電話機の要部構成を示すブロック図である。
【図５】ＳＩＰサーバの要部構成を示すブロック図である。
【図６】端末管理テーブルを例示する図である。
【図７】電話番号設定・登録処理の流れを示すフローチャートである。
【図８】電話番号取消処理の流れを示すフローチャートである。
【符号の説明】
【００５９】
１００    ＩＰ電話システム
１        管理装置
１３      入退場管理テーブル（第１記憶手段）
１４      通信部（割当手段、取消手段）
１６１    ＣＰＵ（特定手段、割当手段、取消手段、選択手段、更新手段）
１６４ｂ  特定プログラム（特定手段）
１６４ｃ  割当プログラム（割当手段）
１６４ｄ  取消プログラム（取消手段）
１６４ｅ  選択プログラム（選択手段）
１６４ｆ  更新プログラム（更新手段）
２        ＩＰ電話機
２１      通信部（送信手段）
２５      端末情報メモリ（第２記憶手段）
２６１    ＣＰＵ（記憶手段、送信手段、消去手段）
２６４ａ  記憶プログラム（記憶手段）
２６４ｂ  送信プログラム（送信手段）
２６４ｃ  消去プログラム（消去手段）
３        ＳＩＰサーバ
３１      通信部（呼制御手段）
３２      端末管理テーブル（登録手段）
３３１    ＣＰＵ（登録手段、呼制御手段）
３３４ａ  登録プログラム（登録手段）
３３４ｂ  呼制御プログラム（呼制御手段）
【図１】
2009290499.tif 000003
【図２】
2009290499.tif 000004
【図３】
2009290499.tif 000005
【図４】
2009290499.tif 000006
【図５】
2009290499.tif 000007
【図６】
2009290499.tif 000008
【図７】
2009290499.tif 000009
【図８】
2009290499.tif 000010